(57)【要約】【課題】複数の記憶装置に同一のデータを容易に記憶させることができる電子機器の提供。【解決手段】プロジェクタ１は、メインＣＰＵ３と、サブＣＰＵ４と、メインＣＰＵ３に接続されるメインメモリ５と、サブＣＰＵ４に接続されるサブメモリ６とを備える。サブメモリ６には、サブＣＰＵ４にて用いられる制御情報６１と、この制御情報６１を書き換えるか否かを判定するための識別情報６２とが記憶されている。メインメモリ５には、制御情報６１の予備である予備情報５３が記憶されている。サブＣＰＵ４は、判定部４１と、書換部４２とを備える。判定部４１は、識別情報６２に基づいて、制御情報６１を書き換えるか否かを判定する。書換部４２は、判定部４１にて制御情報６１を書き換えると判定されると、制御情報６１を予備情報５３に書き換える。【選択図】図１
2009116437.tif 000002
【特許請求の範囲】
【請求項１】
主制御装置と、前記主制御装置を支援する副制御装置とを備える電子機器であって、
前記副制御装置に接続され、前記副制御装置にて用いられる制御情報、及び前記制御情報を書き換えるか否かを判定するための識別情報を記憶する副記憶装置と、
前記主制御装置に接続され、前記制御情報の予備である予備情報を記憶する主記憶装置とを備え、
前記副制御装置は、
前記識別情報に基づいて、前記制御情報を書き換えるか否かを判定する判定部と、
前記判定部にて前記制御情報を書き換えると判定されると、前記制御情報を前記予備情報に書き換える書換部とを備えることを特徴とする電子機器。
【請求項２】
請求項１に記載の電子機器において、
前記制御情報は、前記電子機器が操作されても更新されない固定情報と、前記電子機器が操作されることで更新される更新情報とで構成され、
前記主記憶装置は、前記更新情報を書き換えるか否かを判定するための主識別情報を記憶し、
前記副記憶装置は、前記更新情報を書き換えるか否かを判定するための副識別情報を記憶し、
前記判定部は、前記識別情報に基づいて、前記固定情報を書き換えるか否かを判定するとともに、前記識別情報、前記主識別情報、及び前記副識別情報に基づいて、前記更新情報を書き換えるか否かを判定することを特徴とする電子機器。
【請求項３】
請求項１または請求項２に記載の電子機器において、
前記電子機器は、光源装置と、前記光源装置から射出された光を画像情報に応じて変調する光変調装置と、前記光変調装置にて変調された光を拡大投射する投射光学装置とを備えるプロジェクタであることを特徴とする電子機器。
【請求項４】
主制御装置と、前記主制御装置を支援する副制御装置と、前記副制御装置に接続され、前記副制御装置にて用いられる制御情報、及び前記制御情報を書き換えるか否かを判定するための識別情報を記憶する副記憶装置と、前記主制御装置に接続され、前記制御情報の予備である予備情報を記憶する主記憶装置とを備える電子機器で用いられる制御方法であって、
前記識別情報に基づいて、前記制御情報を書き換えるか否かを判定する判定ステップと、
前記判定ステップにて前記制御情報を書き換えると判定されると、前記制御情報を前記予備情報に書き換える書換ステップとを実行することを特徴とする制御方法。
【請求項５】
主制御装置と、前記主制御装置を支援する副制御装置と、前記副制御装置に接続され、前記副制御装置にて用いられる制御情報、及び前記制御情報を書き換えるか否かを判定するための識別情報を記憶する副記憶装置と、前記主制御装置に接続され、前記制御情報の予備である予備情報を記憶する主記憶装置とを備える電子機器で用いられる制御プログラムであって、
請求項４に記載の制御方法を前記副制御装置に実行させることを特徴とする制御プログラム。
【請求項６】
請求項５に記載の制御プログラムがコンピュータに読取可能に記録されていることを特徴とする記録媒体。
【発明の詳細な説明】
【技術分野】
【０００１】
本発明は、電子機器、制御方法、制御プログラム、及び記録媒体に関する。
【背景技術】
【０００２】
従来、主制御装置としてのメインＣＰＵ（Central Processing Unit）と、メインＣＰＵを支援する副制御装置としてのサブＣＰＵとを備えるプロジェクタ等の電子機器が知られている（例えば、特許文献１参照）。
特許文献１に記載のプロジェクタでは、記憶装置としてのメモリに複数の記憶領域を設け、サブＣＰＵにて用いられる制御情報としての動作状態データを、各記憶領域にそれぞれ記憶させている。そして、１つの記憶領域に記憶された動作状態データが破損した場合には、破損した動作状態データを、他の記憶領域に記憶された動作状態データを用いて復元している。
また、メモリには、動作状態データとともに、プロジェクタの起動制御プログラムが記憶され、動作状態データや、起動制御プログラムは、バスを介してメインＣＰＵ、及びサブＣＰＵに読み込まれ、用いられている。
【０００３】
しかしながら、特許文献１に記載のプロジェクタのように、複数の記憶領域を１つのメモリに設けると、磁気などの影響でメモリ全体のデータが破損した場合に、破損した動作状態データを復元することができないという問題がある。また、メインＣＰＵ、及びサブＣＰＵで用いられる動作状態データや、起動制御プログラムを１つのメモリに記憶していると、動作状態データや、起動制御プログラムを各ＣＰＵが読み込む際に複雑なバスの制御が必要になるという問題があった。
【０００４】
これに対して、メインＣＰＵ、及びサブＣＰＵにそれぞれ記憶装置を接続した構成が考えられる（以下、メインＣＰＵに接続された記憶装置をメインメモリ（主記憶装置）とし、サブＣＰＵに接続された記憶装置をサブメモリ（副記憶装置）とする）。
そして、メインＣＰＵ用のプログラム、及びデータをメインメモリに記憶させ、サブＣＰＵ用のプログラム、及びデータをサブメモリに記憶させる。これによれば、各ＣＰＵは、各メモリから直接プログラム、及びデータを読み込むことができるので、複雑なバスの制御をすることなくプログラム、及びデータを用いることができる。
また、動作状態データを各メモリにそれぞれ記憶させることで、サブメモリに記憶された動作状態データが破損した場合に、破損した動作状態データを、メインメモリに記憶された動作状態データを用いて復元することができる。したがって、サブメモリ全体のデータが破損した場合であっても破損した動作状態データを復元することができる。
【０００５】
【特許文献１】特開２００６−３３７７５２号公報
【発明の開示】
【発明が解決しようとする課題】
【０００６】
ところが、このような構成によると、各メモリに動作状態データをダウンロードして記憶させる際に、同一の動作状態データを各メモリに別々に記憶させなければならないという問題がある。特に、電子機器の開発工程においては、動作状態データはプログラムの設計変更や、バグの修正などに応じて変更されるので、同一の動作状態データを各メモリに別々に記憶させるとダウンロードに手間がかかり、開発効率が低下するという問題がある。
【０００７】
本発明の目的は、複数の記憶装置に同一のデータを容易に記憶させることができ、開発効率を向上させることができる電子機器、制御方法、制御プログラム、及び記録媒体を提供することにある。
【課題を解決するための手段】
【０００８】
本発明の電子機器は、主制御装置と、前記主制御装置を支援する副制御装置とを備える電子機器であって、前記副制御装置に接続され、前記副制御装置にて用いられる制御情報、及び前記制御情報を書き換えるか否かを判定するための識別情報を記憶する副記憶装置と、前記主制御装置に接続され、前記制御情報の予備である予備情報を記憶する主記憶装置とを備え、前記副制御装置は、前記識別情報に基づいて、前記制御情報を書き換えるか否かを判定する判定部と、前記判定部にて前記制御情報を書き換えると判定されると、前記制御情報を前記予備情報に書き換える書換部とを備えることを特徴とする。
ここで、制御情報としては、前述したサブメモリに記憶された動作状態データを例示することができ、予備情報としては、前述したメインメモリに記憶された動作状態データを例示することができる。
【０００９】
このような構成によれば、副制御装置は、判定部と、書換部とを備えるので、副記憶装置に記憶された制御情報を主記憶装置に記憶された予備情報に自動的に書き換えることができる。
具体的に、判定部は、副記憶装置に記憶された識別情報に基づいて、制御情報を書き換えるか否かを判定するので、主記憶装置に予備情報をダウンロードして記憶させる際に、識別情報を、判定部にて制御情報を書き換えると判定される識別情報に変更することで、制御情報を予備情報に自動的に書き換えることができる。したがって、複数の記憶装置に同一のデータを容易に記憶させることができ、開発効率を向上させることができる。
【００１０】
本発明では、前記制御情報は、前記電子機器が操作されても更新されない固定情報と、前記電子機器が操作されることで更新される更新情報とで構成され、前記主記憶装置は、前記更新情報を書き換えるか否かを判定するための主識別情報を記憶し、前記副記憶装置は、前記更新情報を書き換えるか否かを判定するための副識別情報を記憶し、前記判定部は、前記識別情報に基づいて、前記固定情報を書き換えるか否かを判定するとともに、前記識別情報、前記主識別情報、及び前記副識別情報に基づいて、前記更新情報を書き換えるか否かを判定することが好ましい。
【００１１】
ここで、更新情報は、電子機器が操作されることで更新される情報であるので、例えば、電子機器を操作して設定を変更する等して更新情報を更新しながら開発をしている場合などにおいては、プログラムの設計変更や、バグの修正などに応じて主記憶装置に予備情報をダウンロードして記憶させる際であっても書換部にて更新情報を書き換えないようにしたい場合がある。すなわち、電子機器が操作されても更新されない固定情報を、この固定情報に係る予備情報（以下、固定用予備情報とする）に書き換え、更新情報を、この更新情報に係る予備情報（以下、更新用予備情報とする）に書き換えない場合がある。
【００１２】
本発明によれば、判定部は、識別情報、主識別情報、及び副識別情報に基づいて、更新情報を書き換えるか否かを判定するので、主識別情報、及び副識別情報を比較することで、更新情報を、更新用予備情報に書き換えるか否かを判定することができる。
具体的に、主記憶装置に更新用予備情報をダウンロードして記憶させる際に、主識別情報を、判定部にて更新情報を書き換えないと判定される主識別情報（例えば、副識別情報と一致する主識別情報）に変更することで、更新情報を、更新用予備情報に自動的に書き換えないようにすることができ、判定部にて更新情報を書き換えると判定される主識別情報（例えば、副識別情報と一致しない主識別情報）に変更することで、更新情報を、更新用予備情報に自動的に書き換えるようにすることができる。
【００１３】
本発明では、前記電子機器は、光源装置と、前記光源装置から射出された光を画像情報に応じて変調する光変調装置と、前記光変調装置にて変調された光を拡大投射する投射光学装置とを備えるプロジェクタであることが好ましい。
このような構成によれば、前述した電子機器と同様の作用効果を享受することができる。
【００１４】
本発明の制御方法は、主制御装置と、前記主制御装置を支援する副制御装置と、前記副制御装置に接続され、前記副制御装置にて用いられる制御情報、及び前記制御情報を書き換えるか否かを判定するための識別情報を記憶する副記憶装置と、前記主制御装置に接続され、前記制御情報の予備である予備情報を記憶する主記憶装置とを備える電子機器で用いられる制御方法であって、前記識別情報に基づいて、前記制御情報を書き換えるか否かを判定する判定ステップと、前記判定ステップにて前記制御情報を書き換えると判定されると、前記制御情報を前記予備情報に書き換える書換ステップとを実行することを特徴とする。
このような構成によれば、前述した電子機器と同様の作用効果を享受することができる。
【００１５】
本発明の制御プログラムは、主制御装置と、前記主制御装置を支援する副制御装置と、前記副制御装置に接続され、前記副制御装置にて用いられる制御情報、及び前記制御情報を書き換えるか否かを判定するための識別情報を記憶する副記憶装置と、前記主制御装置に接続され、前記制御情報の予備である予備情報を記憶する主記憶装置とを備える電子機器で用いられる制御プログラムであって、前述の制御方法を前記副制御装置に実行させることを特徴とする。
【００１６】
本発明の記録媒体は、前述の制御プログラムがコンピュータに読取可能に記録されていることを特徴とする。
【００１７】
以上のような構成の制御プログラム、及び記録媒体は、前述した制御方法を実施するために利用されるので、前述した制御方法と同様の作用効果を享受することができる。
【発明を実施するための最良の形態】
【００１８】
以下、本発明の一実施形態を図面に基づいて説明する。
〔プロジェクタの内部構成〕
図１は、プロジェクタ１の内部構成を示すブロック図である。
電子機器としてのプロジェクタ１は、図１に示すように、光源から射出される光を、入力される画像情報に応じて変調して画像光を形成し、形成した画像光をスクリーンＳｃに向けて拡大投射するものであり、画像投射手段２と、メインＣＰＵ３と、サブＣＰＵ４と、メインＣＰＵ３に接続されるメインメモリ５と、サブＣＰＵ４に接続されるサブメモリ６とを備える。
【００１９】
画像投射手段２は、光源ランプ２１と、液晶パネル２２と、投射レンズ２３とを備える。
光源装置としての光源ランプ２１は、高圧放電ランプにて構成され、光を液晶パネル２２に向けて射出する。なお、光源ランプ２１に代えて、発光ダイオード、レーザダイオード、有機ＥＬ素子等の各種自己発光素子を光源としてもよい。
光変調装置としての液晶パネル２２は、透過型の液晶パネルであり、画像情報に基づいて、液晶セル（図示略）に封入された液晶分子の配列を変化させ、光源ランプ２１から射出された光を、透過若しくは遮断することにより画像情報に応じて変調して画像光を形成し、この画像光を投射レンズ２３に射出する。
【００２０】
投射光学装置としての投射レンズ２３は、筒状の鏡筒（図示略）内に複数のレンズが収納された組レンズとして構成され、液晶パネル２２から射出された画像光をスクリーンＳｃに向けて拡大投射するものである。そして、スクリーンＳｃには、投射された画像光に基づく投射画像が表示される。
なお、図示は省略したが、プロジェクタ１は、光源ランプ２１から射出される光をＲＧＢ（Red Green Blue）の３色の光に分離する色光分離光学装置を備えている。また、前述した液晶パネル２２は、色光分離光学装置にて分離されたＲＧＢの３色に対応して設けられている。さらに、プロジェクタ１は、３色の画像光を合成してカラー画像を表す画像光を生成する色合成光学装置を備えている。
【００２１】
副記憶装置としてのサブメモリ６には、サブＣＰＵ４にて用いられる制御情報６１と、この制御情報６１を書き換えるか否かを判定するための識別情報６２、及び副識別情報６３とが記憶されている。なお、識別情報６２、及び副識別情報６３については、後に詳述する。
制御情報６１は、プロジェクタ１が操作されても更新されない固定情報６１１と、プロジェクタ１が操作されることで更新される更新情報６１２とで構成されている。
【００２２】
固定情報６１１としては、スタンバイ状態における電源の制御や、リモートコントローラ（図示略）からの操作信号の受信等を実施するために用いられる情報を例示することができる。
なお、スタンバイ状態とは、プロジェクタ１にＡＣ（Alternating Current）電源が接続されることにより、サブＣＰＵ４、サブメモリ６、及びリモートコントローラの受信装置（図示略）等の装置にのみ電源が供給されている状態である。
【００２３】
更新情報６１２としては、プロジェクタ１のスタンバイ状態における設定に係る情報を例示することができる。
なお、プロジェクタ１のスタンバイ状態における設定としては、プロジェクタ１における電源のＯＮ／ＯＦＦ等の制御を、ネットワーク通信を介して実施することができる状態と、実施することができない状態との切り替え設定を例示することができる。
【００２４】
主記憶装置としてのメインメモリ５には、メインＣＰＵ３にて用いられる制御プログラム５１と、この制御プログラム５１にて用いられる制御プログラム用データ５２と、制御情報６１の予備である予備情報５３と、制御情報６１を書き換えるか否かを判定するための主識別情報５４とが記憶されている。なお、主識別情報５４については、後に詳述する。
制御プログラム５１、及び制御プログラム用データ５２は、メインＣＰＵ３にてプロジェクタ１全体の制御を実施するためのプログラム、及びデータである。なお、本実施形態では、制御プログラム５１における処理のうち、後述する制御情報６１の自動書換処理のみを主に説明し、その他の処理については説明を省略する。
【００２５】
予備情報５３は、固定情報６１１の予備である固定用予備情報５３１と、更新情報６１２の予備である更新用予備情報５３２とで構成されている。なお、予備とは、いわゆるバックアップデータのことであり、データの破損や、書き換え等がない限りは、固定情報６１１、及び固定用予備情報５３１は同じ情報であり、更新情報６１２、及び更新用予備情報５３２は同じ情報である。
【００２６】
主制御装置としてのメインＣＰＵ３は、メインメモリ５に記憶された制御プログラム５１、及び制御プログラム用データ５２に基づいて、プロジェクタ１全体を制御するものである。また、メインＣＰＵ３は、バスを介してサブＣＰＵ４に接続され、サブＣＰＵ４との間で制御信号や、データ等の送受信を実施する。
【００２７】
副制御装置としてのサブＣＰＵ４は、メインＣＰＵ３を支援するものであり、例えば、前述したスタンバイ状態における電源の制御や、リモートコントローラからの操作信号の受信等を実施する。このサブＣＰＵ４は、判定部４１と、書換部４２とを備える。
判定部４１は、識別情報６２に基づいて、固定情報６１１を書き換えるか否かを判定するとともに、識別情報６２、主識別情報５４、及び副識別情報６３に基づいて、更新情報６１２を書き換えるか否かを判定する。すなわち、判定部４１は、識別情報６２に基づいて、制御情報６１を書き換えるか否かを判定する。
書換部４２は、判定部４１にて制御情報６１を書き換えると判定されると、制御情報６１を予備情報５３に書き換える。具体的に、書換部４２は、固定情報６１１を固定用予備情報５３１に書き換え、更新情報６１２を更新用予備情報５３２に書き換える。
【００２８】
〔制御情報の自動書換処理〕
次に、プロジェクタ１による制御情報６１の自動書換処理について、図２を参照して説明する。
プロジェクタ１に自動書換処理を実施させる場合には、作業者は、メインメモリ５に予備情報５３、及び主識別情報５４をダウンロードして記憶させるとともに、サブメモリ６に識別情報６２をダウンロードして記憶させる。なお、本実施形態では、自動書換処理を実施させる場合には、識別情報６２を異常値（１）とし、実施させない場合には、識別情報６２を正常値（０）としてダウンロードするものとする。また、更新情報６１２の書き換えを実施させる場合には、主識別情報５４を副識別情報６３とは異なる値とし、実施させない場合には、主識別情報５４を副識別情報６３と同じ値としてダウンロードするものとする。
【００２９】
各メモリ５，６に各情報５３，５４，６２がダウンロードされ、プロジェクタ１の電源が投入されると、メインＣＰＵ３、サブＣＰＵ４、メインメモリ５、及びサブメモリ６等に電源が供給される。そして、メインＣＰＵ３は、メインメモリ５に記憶された制御プログラム５１を実行し、サブＣＰＵ４は、メインＣＰＵ３からの制御信号に基づいて、制御情報６１の自動書換処理を実施する。
【００３０】
図２は、制御情報６１の自動書換処理を示すフローチャートである。
プロジェクタ１の電源が投入されると、判定部４１は、識別情報６２に基づいて、制御情報６１を書き換えるか否かを判定する（ステップＳ１：制御情報書換判定ステップ）。具体的に、判定部４１は、識別情報６２の値が正常値である場合には、制御情報６１を書き換えないと判定し、異常値である場合には、制御情報６１を書き換えると判定する。
制御情報書換判定ステップＳ１にて制御情報６１を書き換えると判定されると、書換部４２は、固定情報６１１を固定用予備情報５３１に書き換える（ステップＳ２：固定情報書換ステップ）。
【００３１】
固定情報書換ステップＳ２にて固定情報６１１が書き換えられると、判定部４１は、主識別情報５４、及び副識別情報６３に基づいて、更新情報６１２を書き換えるか否かを判定する（ステップＳ３：更新情報書換判定ステップ）。具体的に、判定部４１は、主識別情報５４、及び副識別情報６３が一致する場合には、更新情報６１２を書き換えないと判定し、異なる場合には、更新情報６１２を書き換えると判定する。
更新情報書換判定ステップＳ３にて更新情報６１２を書き換えると判定されると、書換部４２は、更新情報６１２を更新用予備情報５３２に書き換える（ステップＳ４：更新情報書換ステップ）。
【００３２】
更新情報書換ステップＳ４にて更新情報６１２が書き換えられると、サブＣＰＵ４は、サブメモリ６に記憶された制御情報６１の読み込みを実施する（ステップＳ５：制御情報読込ステップ）。そして、サブＣＰＵ４は、読み込んだ制御情報６１を用いてメインＣＰＵ３を支援する。
一方、制御情報書換判定ステップＳ１において、判定部４１にて制御情報６１を書き換えないと判定された場合、更新情報書換判定ステップＳ３において、判定部４１にて更新情報６１２を書き換えないと判定された場合には、前述した制御情報読込ステップＳ５を実行する。
【００３３】
本実施形態に係るプロジェクタ１によれば、次のような効果がある。
（１）サブＣＰＵ４は、判定部４１と、書換部４２とを備えるので、サブメモリ６に記憶された制御情報６１をメインメモリ５に記憶された予備情報５３に自動的に書き換えることができる。したがって、複数の記憶装置に同一のデータを容易に記憶させることができ、開発効率を向上させることができる。
【００３４】
（２）判定部４１は、識別情報６２、主識別情報５４、及び副識別情報６３に基づいて、更新情報６１２を書き換えるか否かを判定するので、主識別情報５４、及び副識別情報６３を比較することで、更新情報６１２を、更新用予備情報５３２に書き換えるか否かを判定することができる。したがって、主識別情報５４を副識別情報６３とは異なる値とすることで、更新情報６１２を、更新用予備情報５３２に自動的に書き換えるようにすることができ、主識別情報５４を副識別情報６３と同じ値とすることで、更新情報６１２を、更新用予備情報５３２に自動的に書き換えないようにすることができる。
【００３５】
（３）プロジェクタ１は、メインＣＰＵ３に接続されるメインメモリ５と、サブＣＰＵ４に接続されるサブメモリ６とを備えるので、各ＣＰＵ３，４は、各メモリ５，６から直接プログラム、及びデータを読み込むことができる。したがって、複雑なバスの制御をすることなくプログラム、及びデータを用いることができる。また、予備情報５３をメインメモリ５に、制御情報６１をサブメモリ６に、それぞれ記憶させることで、サブメモリ６に記憶された制御情報６１が破損した場合に、破損した制御情報６１を、メインメモリ５に記憶された予備情報５３を用いて復元することができる。したがって、サブメモリ６全体のデータが破損した場合であっても破損した制御情報６１を復元することができる。
【００３６】
〔実施形態の変形〕
なお、本発明は前記実施形態に限定されるものではなく、本発明の目的を達成できる範囲での変形、改良等は本発明に含まれるものである。
前記実施形態では、判定部４１は、主識別情報５４、及び副識別情報６３に基づいて、更新情報６１２を書き換えるか否かを判定していたが、副識別情報６３のみに基づいて、更新情報６１２を書き換えるか否かを判定してもよい。しかしながら、このように判定すると、判定部４１は、識別情報６２に基づいて、制御情報６１を書き換えるか否かを判定する場合と同様に、副識別情報６３が正常値であるか否かに応じて更新情報６１２を書き換えるか否かを判定することとなるので、作業者の過誤などにより、誤って更新情報６１２が更新用予備情報５３２に書き換えられてしまう可能性がある。これに対して、前記実施形態によれば、例えば、各識別情報５４，６３の取り得る値の種類を増やすことで、誤って更新情報６１２が更新用予備情報５３２に書き換えられてしまう可能性を低減させることができるため好ましい。
【００３７】
前記実施形態では、制御情報６１は、固定情報６１１と、更新情報６１２とで構成されていた。これに対して、制御情報を、固定情報と、更新情報とに分けないようにしてもよい。なお、この場合には、判定部は、識別情報のみに基づいて、制御情報を予備情報に書き換えるか否かを判定すればよい。
前記実施形態では、透過型の液晶パネル２２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
前記実施形態では、電子機器としてプロジェクタ１を例示したが、例えば、オーディオプレーヤー等の他の電子機器であってもよく、要するに、主制御装置と、この主制御装置を支援する副制御装置とを備える電子機器であればよい。
【産業上の利用可能性】
【００３８】
本発明は、電子機器に利用でき、特に、主制御装置と、この主制御装置を支援する副制御装置とを備える電子機器に好適に利用することができる。
【図面の簡単な説明】
【００３９】
【図１】本発明の一実施形態に係るプロジェクタの内部構成を示すブロック図。
【図２】前記実施形態における制御情報の自動書換処理を示すフローチャート。
【符号の説明】
【００４０】
１…プロジェクタ（電子機器）、３…メインＣＰＵ（主制御装置）、４…サブＣＰＵ（副制御装置）、５…メインメモリ（主記憶装置）、６…サブメモリ（副記憶装置）、２１…光源ランプ（光源装置）、２２…液晶パネル（光変調装置）、２３…投射レンズ（投射光学装置）、４１…判定部、４２…書換部、５１…制御プログラム、５３…予備情報、５４…主識別情報、６１…制御情報、６２…識別情報、６３…副識別情報、６１１…固定情報、６１２…更新情報、Ｓ１…制御情報書換判定ステップ（判定ステップ）、Ｓ２…固定情報書換ステップ（書換ステップ）、Ｓ３…更新情報書換判定ステップ（判定ステップ）、Ｓ４…更新情報書換ステップ（書換ステップ）。
【図１】
2009116437.tif 000003
【図２】
2009116437.tif 000004